(57)【要約】【課題】簡単な構成で且つ容易に、多数種の操作を行うことができる画像表示システムを提供する。【解決手段】リモコン装置３は、プロジェクタ２を操作するための操作信号を決定するホイール１４と、ホイール１４による操作信号をプロジェクタ２に送信する送信手段と、を有し、プロジェクタ２は、操作信号を受信する操作信号受信部２３と、リモコン装置３のホイール１４の形状を模したホイールイメージ８２およびリモコン装置３の操作によって選択可能な複数の項目の項目名８５を、項目選択画像として保持するＲＯＭ５３と、項目選択画像Ｂを表示する投射部２５と、を有し、投射部２５は、操作信号受信部２３が受信した操作信号が示す項目を他の項目名と識別可能に表示する。【選択図】図６
2009192777.tif 000002
【特許請求の範囲】
【請求項１】
画像を表示する画像表示装置と、前記画像表示装置を操作するためのリモートコントローラと、を備えた画像表示システムであって、
前記リモートコントローラは、
前記画像表示装置を操作するための操作信号を決定する操作部と、
前記操作部による前記操作信号を前記画像表示装置に送信する送信手段と、を有し、
前記画像表示装置は、
前記操作信号を受信する受信手段と、
前記リモートコントローラの前記操作部の形状を模した操作部画像および前記リモートコントローラの操作によって選択可能な複数の項目の項目名を、リモコン操作画像として保持する記憶部と、
前記リモコン操作画像を表示する表示手段と、を有し、
前記表示手段は、前記受信手段が受信した前記操作信号が示す項目を他の項目名と識別可能に表示することを特徴とする画像表示システム。
【請求項２】
リモートコントローラで操作可能な画像表示装置であって、
前記リモートコントローラからの操作信号を受信する受信手段と、
前記リモートコントローラの操作部の形状を模した操作部画像および前記リモートコントローラの操作によって選択可能な複数の項目の項目名を、リモコン操作画像として保持する記憶部と、
前記リモコン操作画像を表示する表示手段と、を有し、
前記表示手段は、前記受信手段が受信した前記操作信号が示す項目を他の項目名と識別可能に表示することを特徴とする画像表示装置。
【請求項３】
請求項２に記載の画像表示装置であって、
前記記憶部は、前記項目名を階層構造で記憶しており、
前記表示手段は、前記リモートコントローラの項目確定操作に基づく確定信号を前記受信手段が受信すると、確定された前記項目の下位階層項目名を表示することを特徴とする画像表示装置。
【請求項４】
請求項２または３に記載の画像表示装置であって、
前記表示手段は、前記項目の詳細情報を表示することを特徴とする画像表示装置。
【請求項５】
画像表示装置を操作するためのリモートコントローラであって、
前記画像表示装置を操作するための操作信号を決定する操作部と、
前記操作部による前記操作信号を前記画像表示装置に送信する送信手段と、を有し、
前記操作部は、クリックホイールで構成されていることを特徴とするリモートコントローラ。
【請求項６】
請求項５に記載のリモートコントローラであって、
画像表示装置を操作するための複数の操作項目に対し複数のＬＥＤランプを有し、
前記複数のＬＥＤランプは、選択された操作項目に該当するＬＥＤランプのみ点灯することを特徴とするリモートコントローラ。
【発明の詳細な説明】
【技術分野】
【０００１】
本発明は、画像を表示する画像表示システム、画像表示装置、リモートコントローラに関するものである。
【背景技術】
【０００２】
従来、リモートコントローラとして、プロジェクタに対する多数種の操作をすべく、複数の操作子（操作リングや複数のスイッチ等）を有したものが知られている。
【特許文献１】特開２００２−２７５７９号公報
【発明の開示】
【発明が解決しようとする課題】
【０００３】
しかしながら、このようなリモートコントローラでは、各操作子（各スイッチや、操作リング）の機能を表示するスペースが少ないため、ユーザがこれらの機能を認識することが難しく、操作が煩雑になってしまうという問題があった。また、多数種の操作をすべく、複雑な構成となってしまい、このことも、操作が煩雑になってしまう原因となっていた。
【０００４】
本発明は、簡単な構成で且つ容易に、多数種の操作を行うことができる画像表示システム、画像表示装置、リモートコントローラを提供することを課題としている。
【課題を解決するための手段】
【０００５】
本発明の画像表示システムは、画像を表示する画像表示装置と、画像表示装置を操作するためのリモートコントローラと、を備えた画像表示システムであって、リモートコントローラは、画像表示装置を操作するための操作信号を決定する操作部と、操作部による操作信号を画像表示装置に送信する送信手段と、を有し、画像表示装置は、操作信号を受信する受信手段と、リモートコントローラの操作部の形状を模した操作部画像およびリモートコントローラの操作によって選択可能な複数の項目の項目名を、リモコン操作画像として保持する記憶部と、リモコン操作画像を表示する表示手段と、を有し、表示手段は、受信手段が受信した操作信号が示す項目を他の項目名と識別可能に表示することを特徴とする。
【０００６】
本発明の画像表示装置は、リモートコントローラで操作可能な画像表示装置であって、リモートコントローラからの操作信号を受信する受信手段と、リモートコントローラの操作部の形状を模した操作部画像およびリモートコントローラの操作によって選択可能な複数の項目の項目名を、リモコン操作画像として保持する記憶部と、リモコン操作画像を表示する表示手段と、を有し、表示手段は、受信手段が受信した操作信号を示す項目を他の項目名と識別可能に表示することを特徴とする。
【０００７】
これらの構成によれば、リモートコントローラの操作部に各操作項目（項目名）を表示するのに代えて、表示手段により各項目を表示し、さらに当該各項目は、操作信号が示す項目を他の項目と識別可能に表示するため、ユーザは、表示画面を視認することで所望する操作項目を容易に選択することができる。また、ソフトウェアの変更により、機種等に応じて、選択可能な操作項目の増減や操作項目の変更が容易であるため、リモートコントローラを共通化することができ、ひいては開発コストを削減できる。さらに、同一機種でも、新たな機能を追加する場合に、容易に対応できる。またさらに、操作部を模した操作部画像を表示することにより、操作における一体感を向上することができる。
なお、「項目名」の表示に代えて、各項目を表すマークなど、各項目を識別可能な情報を表示しても良い。
【０００８】
上記の画像表示装置であって、記憶部は、項目名を階層構造で記憶しており、表示手段は、前記リモートコントローラの項目確定操作に基づく確定信号を前記受信手段が受信すると、確定された項目の下位階層項目名を表示することが好ましい。
【０００９】
この構成によれば、確定された項目の下位階層の項目名を表示するため、ユーザは、多数の操作項目を効率良く選択することができる。
【００１０】
上記の画像表示装置であって、表示手段は、項目の詳細情報を表示することが好ましい。
【００１１】
この構成によれば、ユーザは、項目の詳細情報を確認しながら、操作項目を選択することができるため、適切に操作項目を選択することができる。
【００１２】
本発明のリモートコントローラは、画像表示装置を操作するためのリモートコントローラであって、画像表示装置を操作するための操作信号を決定する操作部と、操作部による操作信号を画像表示装置に送信する送信手段と、を有し、操作部は、クリックホイールで構成されていることを特徴とする。
【００１３】
この構成によれば、クリックホイールを用いることにより、操作性の高い操作部を提供することができる。
【００１４】
上記のリモートコントローラであって、画像表示装置を操作するための複数の操作項目に対し複数のＬＥＤランプを有し、複数のＬＥＤランプは、選択された操作項目に該当するＬＥＤランプのみ点灯することが好ましい。
【００１５】
この構成によれば、ＬＥＤランプを視認することで、ユーザは、選択された操作項目を容易に知ることができる。
【発明を実施するための最良の形態】
【００１６】
以下、添付の図面を参照して、本発明を適用した画像表示システムを適用したプロジェクタシステムについて説明する。このプロジェクタシステムは、画像をスクリーンに投射するものである。
【００１７】
（第１実施形態）
図１は、本発明の一実施形態に係るプロジェクタシステム１の機器構成を示す図である。同図に示すように、本実施形態のプロジェクタシステム（画像表示システム）１は、スクリーン４に対して画像を投射するプロジェクタ（画像表示装置）２と、プロジェクタ２を操作するためのリモコン装置（リモートコントローラ）３と、から構成されている。
【００１８】
図２に示すように、リモコン装置３は、装置ケース１１と、装置ケース１１表面に形成された各種操作子を有する操作子群１２と、操作子群１２の操作信号をプロジェクタ２に送信する送信部（送信手段）１３と、を備えている。操作子群１２としては、ホイール（操作部）１４と、確定ボタン１５と、電源ボタン１６と、を有している。
【００１９】
ホイール１４は、いわゆるクリックホイールであり、装置ケース１１の表面と略同一面上に構成されている。ホイール１４は、装置ケース１１内部に配設されたタッチパッドにより構成されている。ユーザは、指等でホイール１４（タッチパッド）上を周方向に（右回転もしくは左回転で円を描くように）なぞることにより、ホイール１４を操作する。このようにクリックホイールを用いることにより、操作性の高い操作部を提供することができる。なお、以下、このような周方向になぞるホイール１４の操作を、ホイール１４の周回操作と表記する。
【００２０】
装置ケース１１の表面には、ホイール１４の外周に臨んで、複数のメイン項目（操作項目）１８が記載されている。メイン項目１８は、「カラーモード」「ズーム」「ソース切替」「音量」「自動調整」「リサイズ」といった項目である。ユーザは、このメイン項目１８の中から１の項目を選択して、各種操作を行なう。厳密には、ユーザが、ホイール１４の周回操作により所望のメイン項目１８を選択し、その状態で確定ボタン１５を操作することにより、当該メイン項目１８を確定項目とする。その後、確定項目となったメイン項目１８に対応する各種操作を行う。詳細は後述するが、上記の操作によってメイン項目１８が確定されると、プロジェクタ２は、確定されたメイン項目１８に対するサブ項目（下位項目）の項目選択画像（選択可能な項目名８５および選択状態を示す画像）Ｂを表示する（図６参照）。
【００２１】
さらに、装置ケース１１の表面には、各メイン項目１８に対応した複数のＬＥＤランプ１７が配設されている。ホイール１４の周回操作により特定のメイン項目１８が選択されると、選択されたメイン項目１８に対応するＬＥＤランプ１７を点灯させ、選択から外れると、ＬＥＤランプ１７を消灯する構成になっている。このように、ＬＥＤランプ１７を用いて選択したメイン項目１８を示すことにより、ユーザが、どのメイン項目１８を選択したかを確認することができる。
【００２２】
確定ボタン１５は、選択されたメイン項目１８を、確定項目として確定するための操作子である。確定ボタン１５を押下することで、選択状態のメイン項目１８を確定項目とする（項目確定操作）。なお、このホイール１４および確定ボタン１５は、このようなメイン項目１８の選択および確定に限って使用されるものではなく、後述するサブ項目の選択および確定や、数値設定にも使用される。
【００２３】
一方、プロジェクタ２は、図１に示すように、操作パネル部２１、接続部２２、操作信号受信部（受信手段）２３、映像信号処理部２４、投射部（表示手段）２５、電源部２７、およびこれら各部を制御する制御部２８を備えている。
【００２４】
操作パネル部２１は、パネルキーによって構成され、ユーザがプロジェクタ２を操作するために用いられる。接続部２２は、ＵＳＢコネクタや周辺機器を接続するためのコネクタ（例えば、Ｄ−Ｓｕｂ、ＤＶＩ−Ｄ、Ｓ端子など）を有している。
【００２５】
操作信号受信部２３は、送信部１３により送信されたリモコン装置３からの操作信号を受信するものである。操作信号受信部２３が、リモコン装置３から受信した操作信号を、制御部２８に送ることで、リモコン装置３による各種操作が行なわれる。
【００２６】
映像信号処理部２４は、例えば、外部から画像信号を入力し、プロジェクタ２内部で処理可能な形式の画像データに変換する。そして、変換した画像データに対して、輝度調整、色バランス調整、コントラスト調整などの画質調整を行う。投射部２５は、画質調整後の画像データに基づいてスクリーン４に画像を投射する。図示省略するが、厳密には、投射部２５は、画像変調装置と、当該画像変調装置を制御する画像駆動装置と、光源となる投射ランプと、当該投射ランプを制御する投射ランプ制御部と、投射ランプからの投射光をスクリーン４上に拡大投射する投射レンズとを有している。電源部２７は、各部に駆動電力を供給するものである。
【００２７】
制御部２８は、プロジェクタ２を制御するＣＰＵ５１（Central Processing Unit）と、各種処理を行う際の作業領域として使用されるＲＡＭ５２（Random Access Memory）と、各種制御プログラムおよび項目選択画像ＤＢ（Ｄａｔａ  Ｂａｓｅ）を含む各種記憶データが記憶されるＲＯＭ５３（又は、フラッシュＲＯＭ）（記憶部）とを有している。ＣＰＵ５１は、ＲＯＭ５３の制御プログラムに従ってＲＡＭ５２などに記憶されたデータの処理を行う。
【００２８】
項目選択画像ＤＢは、後述する項目選択画像Ｂを保持するデータベースである。項目選択画像Ｂを表示する際には、この項目選択画像ＤＢから項目選択画像Ｂを読み出して表示する。
【００２９】
次に、図３および図４を参照して、リモコン装置３によるメイン項目１８の選択・確定動作、およびこれら選択・確定動作における操作信号を受信したプロジェクタ２の動作について説明する。
【００３０】
図３は、メイン項目１８の選択・確定動作を示すフローチャートである。同図に示すように、ユーザは、リモコン装置３を視認しながら、ホイール１４を回転操作し、所望のメイン項目１８を選択する（Ｓ１）。その後、確定ボタン１５を押下して、このメイン項目１８を確定項目とする（Ｓ２）。
【００３１】
図４は、上記操作信号を受信したプロジェクタ２の動作を示すフローチャートである。同ずに示すように、操作信号受信部２３は、リモコン装置３の操作信号として、ホイール１４の周回動作による操作信号（以下、周回信号）と、確定ボタン１５の押下による操作信号（以下、確定信号）とを受信する（Ｓ１１）。制御部２８は、これらの操作信号から確定項目を判定する（Ｓ１２）。
【００３２】
判定した確定項目が「自動調整」であった場合（Ｓ１２：Ａ）、制御部２８は、映像信号処理部２４に対して自動調整指令を出し、自動調整処理を行なわせる（Ｓ１３）。自動調整処理は、画質を、現状において最適な画質に調整するものである。
【００３３】
一方、判定した確定項目が、数値変更を要する項目（例えば、「音量」）であった場合（Ｓ１２：Ｂ）、制御部２８は、バー表示画像Ａを表示させる（Ｓ１４）。図５は、確定項目が「音量」と判定された場合の表示を示す図である。図５に示すように、バー表示画像Ａは、メイン項目１８の確定項目（音量）を表示する確定項目表示イメージ７６と、ホイール１４の周回信号に基づいて数値が変化する数値イメージ７７と、数値イメージ７７に対応して伸縮する表示バーイメージ７８と、表示バーイメージ７８の伸長限界位置を示す限界領域イメージ７９と、を有している。
【００３４】
ユーザは、ホイール１４を回転操作することで、数値イメージ７７の数値、および表示バーイメージ７８の伸縮を変化させて、数値イメージ７７の数値を所望の音量にする。所望の音量となったら、この状態で確定ボタン１５を押下することで、当該音量を確定数値とする。制御部２８は、これらの操作を受けて、図外のスピーカを制御する音声制御部に対して音量変更指令を出し、確定数値と音量変更指令とにより、音量調整処理を行わせる（Ｓ１５）。
【００３５】
一方、判定した確定項目が、サブ項目を有する項目（「カラーモード」、「ソース切替」または「リサイズ」）である場合は（Ｓ１２：Ｃ）、制御部２８は、項目選択画像ＤＢから、そのサブ項目の項目選択画像（リモコン操作画像）Ｂを読み出して表示させる（Ｓ１６）。
【００３６】
図６に示すように、項目選択画像Ｂは、メイン項目１８の確定項目（「ソース切替」）を表示する確定項目表示イメージ８１と、ホイール１４の形状を模したホイールイメージ（操作部画像）８２と、メイン項目１８の確定項目に対する複数のサブ項目の項目名８５を、ホイールイメージ８２の周方向に並んで配置した項目イメージ８３と、を有している。項目イメージ８３としては、例えば、確定項目が「ソース切替」である場合、そのサブ項目の項目名８５である「コンピュータ１」「コンピュータ２」「Ｓ−ビデオ」「ビデオ」を表示する。項目選択画像Ｂは、ホイール１４の周回操作に伴って選択対象項目を変化させる。選択対象項目となった項目名８５は点滅表示する。点滅している項目名８５が選択対象項目でなくなると、点滅を停止する。
【００３７】
さらに、項目選択画像Ｂは、選択対象項目となったサブ項目についての詳細情報を表示する項目情報表示イメージ８６を有している。たとえば、「ビデオ」が選択対象項目となった場合は、項目情報表示イメージ８６として「「ビデオ」を選択すると、入力ソースをビデオ入力に切り替えます。」というメッセージを表示する。この場合、ホイール１４の周回操作に伴って、選択対象項目が変化し、ひいては当該メッセージの内容も変化する。このように、選択対象項目の詳細情報を表示することにより、ユーザは、選択対象項目の詳細情報を確認しながら、適切に操作項目を選択することができる。
【００３８】
項目選択画像Ｂが表示されたら、ユーザは、ホイール１４を周回操作することで、所望のサブ項目を、選択対象項目とする。その後、ユーザは、当該項目を確定項目とすべく確定ボタン１５を押下する（周回・確定信号を送信する）。これにより、確定位置に位置する選択対象項目が、複数のサブ項目における確定項目となる。
【００３９】
サブ項目の確定項目が決定したら、制御部２８は、映像信号処理部２４に対してメイン項目１８に対応する処理指令（カラーモード変更指令、入力切替指令、もしくはアスペクト比変更指令）を出し、対応する処理を行わせる（Ｓ１７）。
【００４０】
このように、リモコン装置３のホイール１４に各操作項目（項目名）を表示するのに代えて、投射部２５により各項目を表示し、更に当該各項目は、操作信号を示す項目を他の項目名と識別可能に表示するため、ユーザは、表示画面を視認することで所望の操作項目を容易に選択することができる。また、ソフトウェアの変更により、機種等に応じて、選択可能な操作項目の増減や操作項目の変更が容易であるため、リモコン装置３を共通化することができ、ひいては開発コストを削減できる。さらに、同一機種でも、新たな機能を追加する場合に、容易に対応できる。またさらに、ホイール１４を模したホイールイメージ８２を表示することにより、操作における一体感を向上することができる。
【００４１】
また、確定されたメイン項目１８の下位階層にあたるサブ項目の項目名８５を表示するため、ユーザは、多数の操作項目を効率良く選択することができる。
【００４２】
なお、項目選択画像Ｂは、選択対象項目となったサブ項目についての詳細情報を表示する項目情報表示イメージ８６を有しているものとしたが、メイン項目１８の選択の際も、このような、メイン項目１８の選択対象項目に対する詳細情報を表示しても良い。また、サブ項目を選択するためのバー表示画像Ａおよび項目選択画像Ｂにおいて、メイン項目１８の確定項目に対する詳細情報を示すメッセージを表示させても良い。例えば、「ソース切替」であれば、「ソース切替では、画像として投射する入力を切り替えます。」というメッセージが表示される。
【００４３】
（第２実施形態）
次に、図７ないし図９を参照して、第２実施形態のプロジェクタシステム１について、第１実施形態と異なる点のみ説明する。第１実施形態のプロジェクタシステム１においては、メイン項目１８をリモコン装置３上に記載し、サブ項目を画像上に表示したが、第２実施形態のプロジェクタシステム１では、メイン項目１８およびサブ項目を、画面上に表示するものである。図７に示すように、プロジェクタシステム１のリモコン装置３は、図２の各操作子に加え、選択画像表示ボタン９１を有している。選択画像表示ボタン９１は、メイン項目１８が選択項目となる項目選択画像Ｂを表示するためのものである。すなわち、制御部２８は、サブ項目の項目選択画像Ｂに加え、項目イメージ８３としてメイン項目１８の項目名を表示するメイン項目１８の項目選択画像Ｂ（図８参照）を表示させる。かかる場合、項目選択画像ＤＢにおいて、メイン項目１８と、サブ項目とを階層構造で記憶している。なお、本実施形態のリモコン装置３は、図２に示した第１実施形態のリモコン装置３から、メイン項目１８およびＬＥＤランプ１７の配置を省略した構成となっている。
【００４４】
次に、図９を参照して、選択画像表示ボタン９１の押下による操作信号を受信したプロジェクタ２の動作について説明する。選択画像表示ボタン９１の押下による操作信号を受信すると（Ｓ２１）、制御部２８は、メイン項目１８の項目選択画像Ｂをスクリーン４上表示させる（Ｓ２２）。すなわち、項目イメージ８３として、「カラーモード」「ズーム」「ソース切替」「自動調整」「音量」「リサイズ」の６項目を表示する。第１実施形態におけるサブ項目の選択と同様、当該メイン項目１８の項目選択画像Ｂに基づいて、ユーザは、このメイン項目１８の中から、１のメイン項目１８を確定項目とする。すなわち、ホイール１４の周回操作により、１のメイン項目１８を選択対象項目にすると共に、確定ボタン１５を押下し（確定ボタン１５の操作信号を送信し）、選択対象項目を確定項目とする。
【００４５】
メイン項目１８の確定項目が決定したら、第１実施形態と同様、各確定項目に対応した処理（図４のＳ１２〜Ｓ１７に相当する処理）を行う。例えば、サブ項目を有する確定項目であれば（Ｓ１２：Ｃ）、サブ項目の項目選択画像Ｂを表示し（Ｓ１６）、サブ項目を選択させて所望の処理を行わせる（Ｓ１７）。
【００４６】
このように、第２実施形態によれば、画像上で選択したメイン項目１８に対し、その下位階層の下位項目に相当する複数のサブ項目の項目名８５が画像上に表示される、すなわち、メイン項目１８と、そのサブ項目とを選択することで操作項目を選択するため、ユーザは、多数の操作項目を効率良く選択することができ、リモコン装置３による多数種の操作をより容易に行うことができる。
【００４７】
なお、上記２つの実施形態においては、メイン項目１８とその下位階層である下位項目に相当するサブ項目を選択するものであったが、サブ項目の更に下位階層の下位項目に相当するサブ２項目を設定している場合には、サブ項目の選択の後に、そのサブ２項目の項目選択画像Ｂを表示し、ユーザに選択させるようにしても良い。
【００４８】
また、上記実施形態においては、バー表示画像Ａや、メイン項目１８およびサブ項目の項目選択画像Ｂを操作する操作装置として、リモコン装置３を採用したが、プロジェクタ２に搭載された操作パネル部２１に、ホイール１４および確定ボタン１５を形成し、項目選択画像Ｂを操作するものであっても良い。
【００４９】
さらに、上記実施形態においては、リモコン装置３として、クリックホイールを回転操作することで、メイン項目１８を選択するものを使用したが、これに限るものではない。例えば、回転自在のホイール１４（ダイヤル）上に、周方向１の方向を指す矢印を記載し、回転させることで、各メイン項目１８を指し示すような構成にしても良いし、また、逆に、回転自在のホイール１４上に、周方向に並んで各メイン項目１８を記載し、装置ケース１１表面に、ホイール１４の周縁部に臨む１の矢印が記載されているものであっても良い。すなわち、これらは、ホイール１４を回転させることで、順次メイン項目１８を選択していく構成である。またさらに、項目選択画像Ｂも同様に、ホイールイメージ８２を回転させることで、各メイン項目１８を選択する構成であっても良い。
【００５０】
なお、上記実施形態においては、画像表示装置として、プロジェクタ２を使用したものに適用したが、画像を表示可能なものであれば、これに限るものではない。例えば、画像表示装置として、テレビやディスプレイを使用したものに適用しても良い。
【図面の簡単な説明】
【００５１】
【図１】本実施形態のプロジェクタシステムの構成図である。
【図２】リモコン装置の平面図である。
【図３】リモコン装置上で行なわれるメイン項目の選択・確定動作について示したフローチャートである。
【図４】メイン項目の選択・確定動作における操作信号を受信したプロジェクタの動作を示したフローチャートである。
【図５】バー表示画像を示した図である。
【図６】サブ項目の項目選択画像を示した図である。
【図７】第２実施形態におけるリモコン装置の平面図である。
【図８】メイン項目の項目選択画像を示した図である。
【図９】項目画像表示ボタンによる操作信号を受信したプロジェクタの動作を示したフローチャートである。
【符号の説明】
【００５２】
１：プロジェクタシステム、  ２：プロジェクタ、  ３：リモコン装置、  １３：送信部、  １４：ホイール、  １７：ＬＥＤランプ、  １８：メイン項目、  ２３：操作信号受信部、  ２５：投射部、  ５２：ＲＯＭ、  ８２：ホイールイメージ、  ８５；項目名、  Ｂ：項目選択画像
【図１】
2009192777.tif 000003
【図２】
2009192777.tif 000004
【図３】
2009192777.tif 000005
【図４】
2009192777.tif 000006
【図５】
2009192777.tif 000007
【図６】
2009192777.tif 000008
【図７】
2009192777.tif 000009
【図８】
2009192777.tif 000010
【図９】
2009192777.tif 000011